(57)【要約】【課題】携帯電話等の処理状況の確認メッセージは、使用者の使用状況、操作状況によって表示されないほうが、良好な使用環境となる。【解決手段】装置の備える機能の処理が終了した状況確認を該装置の使用者に通知するためのメッセージを表示する手段を含んだ装置であって、該メッセージを表示する工程を含んだ機能が起動されたことを判別する手段と、該判別手段の判別結果により、該メッセージを表示する工程を含んだ機能の起動される頻度が予め設定された第一の閾値以上であることを判定する手段と、該判別手段の判別結果により、該メッセージを表示する工程を含んだ機能の起動される間隔が予め設定された第二の閾値以下であることを判定する手段と、該起動頻度が第一の閾値以上であり、そして該起動間隔が第二の閾値以下の場合に該メッセージを表示しないように制御する。【選択図】図２
2010061491.tif 000002
【特許請求の範囲】
【請求項１】
装置の備える機能の処理が終了した状況確認を該装置の使用者に通知するためのメッセージを表示する手段を含んだ装置であって、
該メッセージを表示する工程を含んだ機能が起動されたことを判別する手段と、
該判別手段の判別結果により、該メッセージを表示する工程を含んだ機能の起動される頻度が予め設定された第一の閾値以上であることを判定する手段と、
該判別手段の判別結果により、該メッセージを表示する工程を含んだ機能の起動される間隔が予め設定された第二の閾値以下であることを判定する手段と、
該起動頻度が第一の閾値以上であり、そして該起動間隔が第二の閾値以下の場合に該メッセージを表示しないように制御する手段を備えることを特徴とする確認メッセージ表示装置。
【請求項２】
装置の備える機能の処理が終了した状況確認を該装置の使用者に通知するためのメッセージを表示する方法であって、
該メッセージを表示する工程の処理を含んだ機能が起動されたことを判別し、
該判別結果により、該メッセージを表示する工程を含んだ機能の起動される頻度が予め設定された第一の閾値以上であることを判定し、
該判別結果により、該メッセージを表示する工程を含んだ機能の起動される間隔が予め設定された第二の閾値以下であることを判定し、
該起動頻度が第一の閾値以上であり、そして該起動間隔が第二の閾値以下の場合に該メッセージを表示しないように制御することを特徴とする確認メッセージ表示方法。
【請求項３】
請求項１に記載の確認メッセージ表示装置であって、
前記メッセージを非表示にする対象とするか否かが設定される識別子に基づいて、起動された前記機能を判定する手段と、
該識別子が該メッセージの非表示にする対象に設定されている場合に、前記起動頻度が第一の閾値以上であり、そして前記起動間隔が第二の閾値以下の場合に該メッセージを表示しないように制御する手段を備えることを特徴とする確認メッセージ表示装置。
【請求項４】
請求項１に記載の確認メッセージ表示装置であって、
第一の閾値を変更できる手段と、第二の閾値を変更できる手段を備えることを特徴とする確認メッセージ表示装置。
【請求項５】
請求項１に記載の確認メッセージ表示装置は携帯電話である。
【請求項６】
請求項２に記載の確認メッセージ表示方法であって、
前記メッセージを非表示にする対象とするか否かが設定される識別子に基づいて、起動された前記機能を判定し、
該識別子が該メッセージの非表示にする対象に設定されている場合に、前記の起動頻度が第一の閾値以上であり、そして前記の起動間隔が第二の閾値以下の場合に該メッセージを表示しないように制御することを特徴とする確認メッセージ表示方法。
【発明の詳細な説明】
【技術分野】
【０００１】
本発明は、装置の使用者にその装置の備える機能処理が終了した状況確認を促すためのメッセージを表示する手段を含んだその装置において、その確認メッセージの表示を抑止できる確認メッセージ表示装置および確認メッセージ表示方法に関する。
【背景技術】
【０００２】
携帯電話、パーソナルコンピュータ等の表示部を備えた装置において、その装置が処理している機能がどのような状況にあるのかを、その装置の使用者に通知するためのメッセージを表示する装置が増えてきている。
【０００３】
例えば、メール送信機能において電子メールの送信が完了した状況にて「送信しました」とのメッセージを暫時表示する携帯電話やパーソナルコンピュータ、またアドレス登録機能においてアドレス帳に電話番号、メールアドレス等の情報を登録した状況にて「登録しました」とのメッセージを暫時表示する携帯電話、そして設定登録機能において各種設定項目の設定を行った状況にて「設定しました」とのメッセージを暫時表示する携帯電話やパーソナルコンピュータ等がある。
【０００４】
また、装置が有するデータを他の装置に送信する場合に「送信しますか」とのメッセージと共にその送信について「ＯＫ」もしくは「ＣＡＮＣＥＬ」かの応答を求める装置もある。
【０００５】
これらの処理状況を確認するために表示されるメッセージは使用者にとって面倒な場合があり、この応答を求めるメッセージを表示させないための設定を予め装置に行うことが検討されている（例えば、特許文献１参照）。
【特許文献１】特開２００６−５８４７号公報
【発明の開示】
【発明が解決しようとする課題】
【０００６】
以上記載したように、携帯電話、パーソナルコンピュータ等の表示部を備えた装置は、これらの装置の処理状況を使用者に通知し、確認させるためのメッセージを表示する場合がある。
【０００７】
この確認メッセージは、装置の操作に不慣れな使用者や、そのメッセージを表示する工程を含んだ機能を久しぶりに使用する場合に、使用者に安心感を与える。
【０００８】
しかし、装置の操作に習熟した使用者にとって、この確認メッセージは無くても支障が無い場合が多く、操作効率を妨げる要因と考えられる。
【０００９】
本目的は、装置の処理状況を確認するためのメッセージの表示される工程を含んだ機能が起動される頻度、間隔を判断して、このメッセージの表示を制御する確認メッセージ表示装置および確認メッセージ表示方法を提供するものである。
【課題を解決するための手段】
【００１０】
確認メッセージ表示装置の一つの態様は、装置の備える機能の処理が終了した状況確認を該装置の使用者に通知するためのメッセージを表示する手段を含んだ装置であって、該メッセージを表示する工程を含んだ機能が起動されたことを判別する手段と、該判別手段の判別結果により、該メッセージを表示する工程を含んだ機能の起動される頻度が予め設
定された第一の閾値以上であることを判定する手段と、該判別手段の判別結果により、該メッセージを表示する工程を含んだ機能の起動される間隔が予め設定された第二の閾値以下であることを判定する手段と、該起動頻度が第一の閾値以上であり、そして該起動間隔が第二の閾値以下の場合に該メッセージを表示しないように制御する手段を備えることを特徴とする確認メッセージ表示装置を提供する。
【００１１】
この態様によれば、装置の備える機能の処理が終了した状況確認のためのメッセージの表示される工程を含んだ機能が起動される頻度、間隔に基づいてこのメッセージを非表示にする確認メッセージ表示装置の提供が可能となる。
【００１２】
確認メッセージ表示方法の一つの態様は、装置の備える機能の処理が終了した状況確認を該装置の使用者に通知するためのメッセージを表示する方法であって、該メッセージを表示する工程を含んだ機能が起動されたことを判別し、該判別結果により、該メッセージを表示する工程を含んだ機能の起動される頻度が予め設定された第一の閾値以上であることを判定し、該判別結果により、該メッセージを表示する工程を含んだ機能の起動される間隔が予め設定された第二の閾値以下であることを判定し、該起動頻度が第一の閾値以上であり、そして該起動間隔が第二の閾値以下の場合に該メッセージを表示しないように制御することを特徴とする確認メッセージ表示方法を提供する。
【００１３】
この態様によれば、装置の備える機能の処理が終了した状況確認のためのメッセージの表示される工程を含んだ機能が起動される頻度、間隔に基づいてこのメッセージを非表示にする確認メッセージ表示方法の提供が可能となる。
【発明の効果】
【００１４】
ここに開示する確認メッセージ表示装置または確認メッセージ表示方法によれば、装置の備える機能の処理が終了した状況確認のためのメッセージの表示される工程を含んだ機能が起動される頻度が閾値以上であり、かつ装置の備える機能の処理が終了した状況確認のためのメッセージの表示される工程を含んだ機能が起動される間隔が閾値以下の場合に、このメッセージを非表示にできる。
【発明を実施するための最良の形態】
【００１５】
以降、図面を併用して最良の形態について説明する。なお、図面において同一のものまたは類似するものについては同一の符号を記載する。
【００１６】
なお、確認メッセージ表示装置として携帯電話を例にして以降の説明を記載するが、表示部を備えたパーソナルコンピュータ等が、その処理状況をその使用者に通知し、確認させるためのメッセージを表示する装置であっても同様である。
（実施例１）
図１は携帯電話の構成の概要を説明するための図である。
【００１７】
１０は携帯電話であり、以下に説明する１−５を備えている。
【００１８】
１はキー入力部である。キー入力部１は携帯電話１０に搭載されるキー（ボタンと表現する場合もある。）に応じて押されたキーを識別する情報を生成する。例えば、オンフックキー、オフフックキー、０〜９の数字キー、決定キー、クリアキー、メニューキー等がある。
【００１９】
２は基本インタフェース部である。基本インタフェース部２はアンテナ、マイク、スピーカを備え、携帯電話１０の基本機能である無線通信処理に必要な信号について処理している。
【００２０】
３は表示部である。表示部３は携帯電話１０が使用者に対して携帯電話１０の処理状況を通知し、確認させる等のための文字、図形等の一時的な表示を行う。例えば、電話番号入力時の数字キー情報、メール送信時の送信するテキスト情報、そしてメール送信後の送信完了メッセージ等がある。
【００２１】
４は装置制御処理部である。装置制御処理部４は、無線通信処理部４１とアプリケーション処理部４２を備え、キー入力部１からのキー情報、基本インタフェース部２との無線通信に関する情報、表示３への表示に関する情報の処理及びその制御を行う。
【００２２】
無線通信処理部４１は通信・呼処理制御を処理するＣＰＵ（Central Processing Unit）を備え、通信・呼処理を行うためのレイヤ１機能を提供する。
【００２３】
アプリケーション処理部４２はアプリケーション処理を担当するＣＰＵを備え、キー入力部１からのキー情報、表示部３への表示情報の処理、そして携帯電話１０に搭載されるアプリケーションソフトを実行するための処理等のアプリケーション機能の処理を行う。
【００２４】
無線通信処理部４１とアプリケーション処理部４２は、無線通信機能とアプリケーション機能の間の信号の受け渡しに必要な情報の処理も行う。例えば、通信中の状態に応じた表示部３への表示のために、無線通信処理部４１はアプリケーション処理部４２へ通信の状態を通知する。
【００２５】
５はソフトウェア群である。ソフトウェア群５は以下に説明する５１−５８のソフトウェアを備えている。
【００２６】
デバイスドライバ５１は携帯電話１０の基本機能である無線通信処理に必要となる周辺機器を使えるようにするためのソフトウェアである。通信制御用ＯＳ５２は無線通信処理部４１が備える通信制御用ＣＰＵのためのＯＳ（Operating System）である。通信制御ソフト５３は通信制御プロトコル（レイヤ２／レイヤ３制御）の処理を行うためのソフトウェアである。ターミナルアダプタ５４はＩＳＤＮ（Integrated Services Digital Network）などの回線終端装置（ＤＳＵ：Digital Service Unit）に接続するためのインタフェース信号を処理するためのソフトウェアである。
【００２７】
デバイスドライバ５５は携帯電話１０に搭載されるアプリケーション機能に必要となる周辺機器を使えるようにするためのソフトウェアである。アプリ用ＯＳ５６はアプリケーション処理部４２が備えるアプリケーション処理用のＣＰＵのためのＯＳである。ミドルウェア５７はアプリケーションソフトがハードウェア、ＯＳを意識しなくても良いようにそれらの違いを吸収するためのソフトウェアである。アプリケーションソフト５８は携帯電話１０に搭載されるアプリケーションソフトウェアであり、例えば電子メールを実現するためのメールソフトウェア、ミュージックプレーヤを実現するためのソフトウェア、電子ゲームを実現するためのゲームソフトウェア等がある。
【００２８】
図２はメッセージ表示の処理を説明するための図である。メッセージ表示機能処理部４２１、メッセージ表示制御部４２２、メッセージ表示判定部４２３、起動状況記憶部４２４、閾値データ格納部４２５、そして閾値データ更新部４２６は、図１に記載したアプリケーション処理部４２に備えられ、表示部３に表示されるデータを処理する。
【００２９】
メッセージ表示機能処理部４２１は、携帯電話１０が処理している機能において、表示部３に表示されるデータを処理する工程を含んだ機能の表示機能を処理し、表示するデータをメッセージ表示制御部４２２に通知する。そして、携帯電話１０が処理している機能
において、携帯電話１０の使用者に対して、その処理状況を通知し確認させるための確認メッセージを表示する工程を含む機能があった場合に、その機能を識別するデータ（メッセージ表示機能名と記載する。）を起動状況記憶部４２４に通知する。なお、このメッセージ表示機能名はメッセージ表示制御部４２２にも表示データに含まれて通知される。
【００３０】
なお、上記の確認メッセージとは、携帯電話１０が備える機能の処理が終了した場合に、携帯電話１０の使用者にその機能処理が終了したことを通知するためのメッセージである。例えば、メール送信機能にてメール送信処理が正常に終了した場合に「メールを送信しました」、アドレス登録機能にてアドレス登録処理が正常に終了した場合に「登録しました」等のメッセージである。この確認メッセージは、使用者が確認するために十分な、予め決められた時間だけ表示される。
【００３１】
メッセージ表示制御部４２２は、メッセージ表示機能処理部４２１から通知される表示データについて、確認メッセージの表示制御を行う。つまり、メッセージ表示機能処理部４２１から通知されるメッセージ表示機能名をメッセージ表示判定部４２３に問合せする。そして、メッセージ表示判定部４２３からのデータに基づいて、確認メッセージを非表示にする表示データである場合に表示するか否かを制御し、表示させるためのデータを表示部３へ通知する。
【００３２】
メッセージ表示判定部４２３は、メッセージ表示制御部４２２から該当する確認メッセージを表示するか非表示にするかを、起動状況記憶部４２４に記憶されている起動頻度、起動間隔のデータと、閾値データ格納部４２５に格納されている閾値データに基づいて判定する。その判定結果をメッセージ表示機能名に対応してメッセージ表示制御部４２２へ通知する。
【００３３】
起動状況記憶部４２４は、メッセージ表示機能処理部４２１において確認メッセージを表示する工程を含む機能があった場合に通知されるデータ（メッセージ表示機能名）に基づいて、メッセージ表示機能名毎の累積起動回数、起動頻度を更新する。また記憶されている前回起動日時のデータと今回の起動日時のデータの差より起動間隔を求め、前回起動日時を更新する。更新した起動頻度、そして求めた起動間隔のデータをメッセージ判定部４２３へ通知する。
【００３４】
なお、更新された累積起動回数、起動頻度、前回起動日時のデータは、後で説明する図３に示すように、メッセージ表示機能名毎に格納される。
【００３５】
閾値データ格納部４２５は、後で説明する図４に示すように、メッセージ表示機能名毎に確認メッセージを非表示にするか否かを識別する非表示識別子と、確認メッセージを非表示にするか否かを判定する閾値として、累積起動回数、起動頻度、起動間隔を格納する。なお、累積起動回数を判定条件として用いる場合も考えられるので、閾値として格納している。
【００３６】
閾値データ更新部４２６は、閾値データ格納部４２５が格納しているデータを、携帯電話１０の使用者が更新する場合に、使用者が更新するために設定したデータを閾値データ格納部４２５に格納する。
【００３７】
図３はメッセージ表示の起動状況を説明するための図であり、図２の起動状況記憶部４２４に格納されているデータを示している。
【００３８】
例えば、起動状況記憶部４２４には、メール送信、アドレス登録等の確認メッセージを含む機能（メッセージ表示機能名と称する。）が登録されており、メッセージ表示機能名
に対応して累積起動回数、起動頻度、前回起動日時が格納されている。
【００３９】
累積起動回数は装置使用開始からのその機能の起動された累積回数を示しており、確認メッセージを表示する工程を含む機能が起動される毎に更新される。
【００４０】
起動頻度は本図では１日ごとにリセットされる、その機能の起動される頻度を示しており、確認メッセージを表示する工程を含む機能が起動される毎に更新される。
【００４１】
前回起動日時は、確認メッセージを表示する工程を含む機能が起動される毎に、その起動された日時データと、ここに格納されている日時データとに基づいて起動間隔が計算され、メッセージ表示判定部４２３へ通知され、その起動された日時データが更新される。
【００４２】
なお、ここに記憶されているデータは、携帯電話１０の使用者によってリセットできる構成にしてもよい。
【００４３】
図４はメッセージ表示の閾値を説明するための図であり、図２の閾値データ格納部４２５に格納されているデータを示している。
【００４４】
例えば、メール送信、アドレス登録等の確認メッセージを含むメッセージ表示機能名、それに対応して非表示識別子、閾値として累積起動回数、起動頻度、起動間隔が格納されている。
【００４５】
非表示識別子は確認メッセージを非表示の対象とするか否かを設定する識別子であり、例えばＯＦＦの場合は非表示の対象とせず、ＯＮの場合に非表示の対象とする。
【００４６】
累積起動回数、起動頻度の閾値は、確認メッセージを非表示にするための最低値が設定されている。
【００４７】
起動間隔は確認メッセージを非表示にするための起動の最大間隔を設定している。
【００４８】
ここに格納されるデータは閾値データ更新部４２６からのデータに基づいて変更される。
【００４９】
つまり、上記にて説明した携帯電話１０では、確認メッセージを表示する工程を含む機能（メッセージ表示機能）が起動された場合、起動状況記憶部４２４に記憶されているそのメッセージ表示機能名毎の累積起動回数、起動頻度、前回起動日時を更新すると共に起動間隔を求める。そして、その起動頻度、起動間隔について、それに対応する閾値データ格納部４２５に格納されている閾値に基づいて非表示にするか否かを判定する。よって、メッセージ表示制御部４２２は、非表示対象となる確認メッセージについて、メッセージ表示判定部４２３の判定結果に基づいて、そのメッセージを非表示にするか否かを制御する。
【００５０】
上記の携帯電話１０によれば、確認メッセージを表示する工程を含む機能が起動された場合、その機能毎に、その起動頻度、起動間隔について予め設定されている閾値に基づいてその確認メッセージを非表示にするか否かを判定することが可能となるので、その機能毎に確認メッセージを非表示にすることが可能となる。また、その機能毎に確認メッセージを非表示にする対象から外すことも可能となる。
【００５１】
図５はメッセージ表示の処理フローを示している。
【００５２】
Ｓ１．  例えば携帯電話のメール送信機能のように、メッセージを表示する工程が含まれた機能が起動される。
【００５３】
Ｓ２．  ステップＳ１で起動された機能が、使用者に対してその機能の処理状況を通知し確認させるための確認メッセージを表示する工程を含む機能（メッセージ表示機能）に該当するか否かを判断する。本判断は、その機能が、図２に示した閾値データ格納部４２５に登録されているメッセージ表示機能に存在するか否かで判断できる。
【００５４】
該当する機能であった場合はステップＳ３を処理し、該当する機能でなかった場合はステップＳ６のメッセージを表示する処理を実行する。
【００５５】
Ｓ３．  ステップＳ２にて確認メッセージを表示する工程を含む機能が起動された場合であり、その起動状況を記憶する。つまり、そのメッセージ表示機能名毎にその機能の累積起動回数、累積起動回数から求められる起動頻度を更新し、そして、その機能が起動された時刻データと前回の時刻データによって起動間隔を求め、時刻データ（前回起動日時）を更新する。
【００５６】
Ｓ４．  ステップＳ３で更新された起動頻度、Ｓ３で求められた起動間隔が予め設定した条件に該当するか否かを判断する。本ステップの詳細な処理フローを図６に示す。
【００５７】
Ｓ５．  ステップＳ４で起動頻度、起動間隔が予め設定した条件に該当する場合であり、メッセージを表示する工程にて処理されるメッセージを非表示にする。
【００５８】
Ｓ６．  ステップＳ２で確認メッセージを表示する工程を含んでいない機能の場合、もしくはステップＳ４で起動頻度、起動間隔が予め設定した条件に該当しない場合であるので、メッセージを表示する工程を実行してメッセージを表示する。
【００５９】
図６はメッセージ表示の判断フローを示しており、図５のステップＳ４の処理内容を示している。
【００６０】
Ｓ４１．  起動された機能が確認メッセージを表示する工程を含む場合に本ステップは処理される。その機能に対応して格納されている、その確認メッセージを非表示にする対象とするか否かを示す非表示識別子に基づいて非表示にするかを判定する。
【００６１】
なお、非表示識別子は図２に示す閾値データ格納部４２５に格納されている。メッセージ表示判定部４２３はメッセージ表示制御部４２２からの機能に関するデータ、つまりメール送信等のメッセージ表示機能名のデータを受け、閾値データ格納部４２５のメッセージ表示機能名に該当する非表示識別子により、該当する確認メッセージを非表示の対象とするか否かを判定する。
【００６２】
判定結果により、非表示の対象であった場合はステップＳ４２を処理し、表示する対象であった場合はステップＳ６を処理する。
【００６３】
Ｓ４２．  ステップＳ４１で確認メッセージを表示する工程を含む機能が非表示可能な対象であった場合に本ステップは処理される。その機能の起動された頻度（起動頻度）が予め設定されている閾値以上であるか否かを判定する。
【００６４】
つまり、メッセージ表示判定部４２３は、該当するメッセージ表示機能名に対応する起動頻度に関するデータを起動状況記憶部４２４から、閾値に関するデータを閾値データ格納部４２５からそれぞれ読み出し、その起動頻度が閾値以上であるかを判定する。
【００６５】
なお、該当する機能によっては、起動頻度の代わりに累積起動回数に基づいて判断しても良い。
【００６６】
判定結果により、起動頻度が閾値以上の場合はステップＳ４３を処理し、閾値未満の場合はステップＳ６を処理する。
【００６７】
Ｓ４３．  ステップＳ４２で確認メッセージを表示する工程を含む機能の起動頻度が閾値以上の場合に本ステップは処理される。その機能の起動された間隔（起動間隔）が予め設定されている閾値以下であるか否かを判定する。
【００６８】
つまり、メッセージ表示判定部４２３は、起動状況記憶部４２４から通知される、該当するメッセージ表示機能名に対応する起動間隔のデータと、閾値データ格納部４２５から読み出される閾値に関するデータに基づいて、その起動間隔が閾値以下であるかを判定する。
【００６９】
この判定結果により、起動間隔が閾値以下の場合はステップＳ５にてメッセージ表示制御部４２２は確認メッセージを非表示にするように制御し、起動間隔が閾値より大きい場合はステップＳ６にてメッセージ表示制御部４２２は確認メッセージを表示するように制御する。
【００７０】
本実施例によれば、確認メッセージを表示する工程を含む機能が起動された場合、その機能毎に確認メッセージを非表示にする対象であるか否かを判定する。非表示にする対象である場合のみ、その機能の起動回数が閾値以上か否かを判定し、閾値以上の場合のみにその機能の起動回数が閾値以下か否かを判定し、閾値以下の場合にその機能の確認メッセージを非表示にすることが可能となる。また、確認メッセージを表示する工程を含む機能が起動されるたびに、上に記載した処理が行われるので、暫くその機能を使用しなかった場合には確認メッセージは表示されるようになる。
【００７１】
また、この閾値は使用者によって設定（変更）を可能とするので、使用者の操作慣れ等使用者の特性に応じた制御が可能となる。
（実施例２）
実施例１では、確認メッセージ表示装置として携帯電話を例にして以上の説明を記載した。
【００７２】
本実施例では確認メッセージ表示装置としてパーソナルコンピュータを例にする。例えば図１において基本インタフェース部２、無線通信処理部４１、そしてソフトウェア群５の５１−５４のフソフトウェアを除いた構成は、パーソナルコンピュータの構成と考えることができる。よって、実施例１に仔細した実勢形態はパーソナルコンピュータにて実現することが可能である。
【００７３】
以上の実施例１〜２を含む実施形態に関し、更に以下の付記を開示する。
【００７４】
（付記１）  装置の備える機能の処理が終了した状況確認を該装置の使用者に通知するためのメッセージを表示する手段を含んだ装置であって、
該メッセージを表示する工程を含んだ機能が起動されたことを判別する手段と、
該判別手段の判別結果により、該メッセージを表示する工程を含んだ機能の起動される頻度が予め設定された第一の閾値以上であることを判定する手段と、
該判別手段の判別結果により、該メッセージを表示する工程を含んだ機能の起動される間隔が予め設定された第二の閾値以下であることを判定する手段と、
該起動頻度が第一の閾値以上であり、そして該起動間隔が第二の閾値以下の場合に該メッセージを表示しないように制御する手段を備えることを特徴とする確認メッセージ表示装置。
【００７５】
（付記２）  装置の備える機能の処理が終了した状況確認を該装置の使用者に通知するためのメッセージを表示する方法であって、
該メッセージを表示する工程を含んだ機能が起動されたことを判別し、
該判別結果により、該メッセージを表示する工程を含んだ機能の起動される頻度が予め設定された第一の閾値以上であることを判定し、
該判別結果により、該メッセージを表示する工程を含んだ機能の起動される間隔が予め設定された第二の閾値以下であることを判定し、
該起動頻度が第一の閾値以上であり、そして該起動間隔が第二の閾値以下の場合に該メッセージを表示しないように制御することを特徴とする確認メッセージ表示方法。
【００７６】
（付記３）  付記１に記載の確認メッセージ表示装置であって、
前記メッセージを非表示にする対象とするか否かが設定される識別子に基づいて、起動された前記機能を判定する手段と、
該識別子が該メッセージの非表示にする対象に設定されている場合に、前記起動頻度が第一の閾値以上であり、そして前記起動間隔が第二の閾値以下の場合に該メッセージを表示しないように制御する手段を備えることを特徴とする確認メッセージ表示装置。
【００７７】
（付記４）  付記１に記載の確認メッセージ表示装置であって、
第一の閾値を設定できる手段と、第二の閾値を設定できる手段を備えることを特徴とする確認メッセージ表示装置。
【００７８】
（付記５）  付記３に記載の確認メッセージ表示装置であって、
前記識別子を設定できる手段を備えることを特徴とする確認メッセージ表示装置。
【００７９】
（付記６）  付記１に記載の確認メッセージ表示装置は携帯電話である。
【００８０】
（付記７）  付記２に記載の確認メッセージ表示方法であって、
前記メッセージを非表示にする対象とするか否かが設定される識別子に基づいて、起動された前記機能を判定し、
該識別子が該メッセージの非表示にする対象に設定されている場合に、前記の起動頻度が第一の閾値以上であり、そして前記の起動間隔が第二の閾値以下の場合に該メッセージを表示しないように制御することを特徴とする確認メッセージ表示方法。
【００８１】
（付記８）  付記２に記載の確認メッセージ表示方法であって、
使用者は必要に応じて、少なくとも第一の閾値と第二の閾値の何れかの閾値を設定することを特徴とする確認メッセージ表示方法。
【００８２】
（付記９）  付記７に記載の確認メッセージ表示方法であって、
使用者は必要に応じて、前記識別子を設定することを特徴とする確認メッセージ表示方法。
【００８３】
（付記１０）  付記２に記載の確認メッセージ表示方法は携帯電話の状況確認メッセージ表示方法である。
【００８４】
（付記１１）  装置の備える機能の処理が終了した状況確認を該装置の使用者に通知するためのメッセージを表示する確認メッセージ表示装置を、
該メッセージを表示する工程を含んだ機能が起動されたことを判別する手段と、
該判別手段の判別結果により、該メッセージを表示する工程を含んだ機能の起動される頻度が予め設定された第一の閾値以上であることを判定する手段と、
該判別手段の判別結果により、該メッセージを表示する工程を含んだ機能の起動される間隔が予め設定された第二の閾値以下であることを判定する手段と、
該起動頻度が第一の閾値以上であり、そして該起動間隔が第二の閾値以下の場合に該メッセージを表示しないように制御する手段として機能させることを特徴とする確認メッセージ表示プログラム。
【図面の簡単な説明】
【００８５】
【図１】携帯電話の構成の概要を説明するための図である。
【図２】携帯電話のメッセージ表示の処理を説明するための図である。
【図３】メッセージ表示の起動状況を説明するための図である。
【図４】メッセージ表示の閾値を説明するための図である。
【図５】メッセージ表示の処理フローを示している。
【図６】メッセージ表示の判断フローを示している。
【符号の説明】
【００８６】
１０    携帯電話
１    キー入力部
２    基本インタフェース部
３    表示部
４    装置制御処理部
４１    無線通信処理部
４２    アプリケーション処理部
４２１    メッセージ表示機能処理部
４２２    メッセージ表示制御部
４２３    メッセージ表示判定部
４２４    起動状況記憶部
４２５    閾値データ格納部
４２６    閾値データ更新部
５    ソフトウェア群
５１    デバイスドライバ
５２    通信制御用ＯＳ
５３    通信制御ソフト
５４    ターミナルアダプタ
５５    デバイスドライバ
５６    アプリ用ＯＳ
５７    ミドルウェア
５８    アプリケーションソフト
【図１】
2010061491.tif 000003
【図２】
2010061491.tif 000004
【図３】
2010061491.tif 000005
【図４】
2010061491.tif 000006
【図５】
2010061491.tif 000007
【図６】
2010061491.tif 000008